(57)【要約】【課題】複数の珠を連珠した輪状装身具の美観を損なうことなく簡単かつ確実な係脱機能を有する連結金具を提供する。【解決手段】装身具を保持する雌雄一対の金具において、雄金具２０は、該装身具の軸線に沿って雌金具１の内部に挿入される先端に先細状の頭部２１を形成し、該頭部の後方周面２２には係合溝部２３を設け、後端には周面２２より径を大きくした接続部２４を設けて構成、雌金具１は、雄金具２０が殻体１４の挿入部３に挿入される方向に対して垂直な方向に変位して貫通孔８、８ａを有するガイド部材４を孔１５より配置し、ガイド部４内に、雄金具２０の係合溝部２３と係脱する係合孔９、９ａを有する係合部材５と、係合部材５を雄金具２０と係脱する方向に弾性力で付勢するコイルスプリング７と、係脱用押ボタン６と、を配置すると共に孔１５に蓋２を配置して係脱用押ボタン６を殻体１４の切り欠き部１０より突出させて設けてなるものである。【選択図】図１
0003110264.tif 000002
【実用新案登録請求の範囲】
【請求項１】
複数の珠３０を一列に連珠した装身具の両端にそれぞれ取り付けられると共に互いに係合して前記装身具を輪状に保持する雌雄一対の金具において、雄金具２０は、該装身具の軸線に沿って雌金具１の内部に挿入される先端に先細状の頭部２１を形成し、該頭部２１の後方における周面２２には係合溝部２３を設け、後端には周面２２より径を大きくした珠３０を連珠する糸体３１を係合する接続部２４を設けて構成し、
雌金具１は、殻体１４内に挿入部３とガイド部４とを有し、該ガイド部４内に係合部材５と係脱用押ボタン６とコイルスプリング７を有する構成にて、雄金具２０が殻体１４の挿入部３に挿入される方向に対して垂直な方向に変位して貫通孔８、８ａを有するガイド部材４を殻体１４の孔１５より配置し、該ガイド部４内に、雄金具２０の係合溝部２３と係脱する係合孔９、９ａを有する係合部材５と、該係合部材５を雄金具２０と係脱する方向に弾性力で付勢するコイルスプリング７と、係脱用押ボタン６と、を配置すると共に殻体１４の孔１５に蓋２を配置することにより係脱用押ボタン６をコイルスプリング７の弾性力にて殻体１４の切り欠き部１０より突出させて設けてなることを特徴とする連珠用連結具。
【考案の詳細な説明】
【技術分野】
【０００１】
本考案は、複数の珠を連珠したネックレス、ブレスレット等の両端にそれぞれ取り付けて互いに係合して輪状に保持する雌雄一対の連結金具に関するものである。
【背景技術】
【０００２】
従来、複数の珠を連珠した装身具の両端を連結して使用する連結金具としては、板バネを用いたもの、磁石を用いたもの、ネジを用いたもの、連結端部を互いにはめ込み回転して抜け止めするようにしたもの、雌雄一対の金具にて雌金具に弾性力で付勢するコイルスプリングを用いたもの等が知られている。
【０００３】
しかしながらこれらの中には長年の使用、衝撃等で簡単に外れてしまったり、取り付け取り外しが面倒であったり、連珠とのバランスが悪く、装飾性を損なったりするという連結金具も多々見受けられる問題があった。
【０００４】
前記問題を解消するためにコイルスプリングを用いた連結金具が種々提案されている。その中で、連結環を有するとともに縦挿入孔及び横挿入孔が形成されている基体の前記縦挿入孔にはスプリング及びストッパ−を収納し、前記横挿入孔には連結ピンを挿入し、前記ストッパ−により前記連結ピンを着脱可能にしたことを特徴とするネックレス等の止め金具の構成とした金具が提案されている（例えば特許文献１参照。）。
【０００５】
また、コイルバネを中空状に形成した係脱押釦内に収容した構造とし、該係脱押釦を押圧した際、係止部材の係止部の下端がケース本体の下側面に当接することによって、係止部材の摺動運動が規制される構造とした連結金具が提案されている（例えば特許文献２参照。）。
【０００６】
しかし、上記の特許文献１、２のいずれも雌金具側に連結環または取付環を介して連珠等の一端部と連結できるようにしてあるために、連結環または取付環にて輪状装身具全体のデザインが途切れた状態での輪状となり、装飾性を損なう一つの要因となっている。
【０００７】
【特許文献１】特開平０８−８９３２０号公報
【特許文献２】特許第３２５００９１号公報
【考案の開示】
【考案が解決しようとする課題】
【０００８】
前記事項を鑑み解決しようとする問題点は、複数の珠を連珠した輪状装身具の美観を何ら損なうことなく、簡単かつ確実な係脱機能を有する連結金具を提供しようとするものである。
【課題を解決するための手段】
【０００９】
上記課題を解決するために本考案は複数の珠３０を一列に連珠した装身具の両端にそれぞれ取り付けられると共に互いに係合して前記装身具を輪状に保持する雌雄一対の金具において、雄金具２０は、該装身具の軸線に沿って雌金具１の内部に挿入される先端に先細状の頭部２１を形成し、該頭部２１の後方における周面２２には係合溝部２３を設け、後端には周面２２より径を大きくした珠３０を連珠する糸体３１を係合する接続部２４を設けて構成し、雌金具１は、殻体１４内に挿入部３とガイド部４とを有し、該ガイド部４内に係合部材５と係脱用押ボタン６とコイルスプリング７を有する構成にて、雄金具２０が殻体１４の挿入部３に挿入される方向に対して垂直な方向に変位して貫通孔８、８ａを有するガイド部材４を殻体１４の孔１５より配置し、該ガイド部４内に、雄金具２０の係合溝部２３と係脱する係合孔９，９ａを有する係合部材５と、該係合部材５を雄金具２０と係脱する方向に弾性力で付勢するコイルスプリング７と、係脱用押ボタン６とを配置すると共に殻体１４の孔１５に蓋２を配置することにより係脱用押ボタン６をコイルスプリング７の弾性力にて殻体１４の切り欠き部１０より突出させて設けてなることを要旨とするものである。
【考案の効果】
【００１０】
以上述べたように、本考案によれば、雌金具１内に配置した挿入部３と雄金具２０の接続部２４及び、雌金具１内に配置したガイド部４の貫通孔８と雄金具２０の先細状の頭部２１の後方における周面２２とを近接させた状態で挿通させて係合時の上下動きを規制しているために装身具の輪状が綺麗に保持され装着時においても装身具の美観を向上させることができた。
【００１１】
また、コイルスプリング７の弾性力にて、雄金具２０の係合溝部２３と、ガイド部４内に配置した係合孔９を有する係合部材５との係合状態は、雄金具２０を段付きとしたことにより段の立ち上がりの側面とガイド部４の側面とが接した状態で係合する構造としているので連結状態における左右のガタツキがほとんどなく確実な係脱機能を有する連結金具を提供することができた。
【考案を実施するための最良の形態】
【００１２】
以下、本考案の目的である簡単かつ確実な係脱機能は美観を何ら損なうことなく実現し、その実施形態は図面を用いて詳細に説明する。
図１は、本考案の連珠用連結具の実施例全体を示す概念図であり、該連結具は図２の部品の概念図に示すように（Ａ）殻体１４と、（Ｂ）挿入部３と、（Ｃ）ガイド部４と、（Ｄ）係脱用押ボタン６と、（Ｅ）係合部材５と、（Ｆ）コイルスプリング７と、（Ｇ）蓋２との部品から構成される雌金具１と、（Ｈ）雄金具２０にて雌雄一対の連珠用連結具とした。
【００１３】
図２（Ａ）の殻体１４は、珠を連珠する糸体３１を係合する接続孔１１を設け、該接続孔１１に対向する位置には雄金具２０を挿通する挿入部３を配置する挿入部受け入れ孔３ａを設け、該挿入部受け入れ孔３ａと前記接続孔１１の向きに対して垂直な方向に変位した上部位置に係脱用押ボタン６を配置する切り欠き部１０を設け、該切り欠き部１０に対向する位置には殻体１４内にガイド部材４を配置する切り欠き部１０より径を大きくした孔１５を設けて形成した。本考案いわく実施例において、孔１５の形状は正方形としたが限定するものではなく、楕円、円としてもよく実施例としては挿入するガイド部材４同じ形状とした。
【００１４】
図２（Ｂ）挿入部３は、殻体１４に設けた挿入部受け入れ孔３ａより配置し、雄金具２０の挿通及び係合した際に上下動きを規制させるのに用いた。
【００１５】
図２（Ｃ）ガイド部４は、正方形のパイプを用いて孔１５より若干小さい挿入可能な太さ寸法にて、一端側に切り欠き部１０に嵌り込む筒を配して段付きにし、殻体１４に設けた孔１５より殻体１４体内に配置されると共に長手方向側面中央位置には互いに対向した雄金具２０の周面２２までを挿入可能とした径の貫通孔８と８ａを設けて形成した。
【００１６】
図２（Ｄ）係脱用押ボタン６は、底部周りにふち部１２を設けて帽子であるハット形状とし、殻体１４体内に配置された際にコイルスプリング７の弾性力によりふち部１２にて殻体１４の切り欠き部１０より抜け出ることを防止した。
【００１７】
図２（Ｅ）係合部材５は、正方形のパイプにてガイド部４内に配置されると共に長手方向側面位置には互いに対向する係合孔９と９ａを設けて形成し、雄金具２０の係合溝部２３に係合部材５を嵌り込むようにした。
【００１８】
図２（Ｆ）コイルスプリング７は、ガイド部４内にて弾性力付勢方向の最大長さとなった時に係止部材５と雄金具２０の係合溝部２３とを係合させるものである。
【００１９】
図２（Ｇ）蓋２は、殻体１４の孔１５に配置することにより脱用押ボタン６をコイルスプリング７の弾性力にて切り欠き部１０より突出させて雌金具１を構成した。
【００２０】
図２（Ｈ）雄金具２０は、先端に先細状の頭部２１を形成し、頭部２１の後方における周面２２には係合溝部２３を設け、後端には周面２２より径を大きくした珠３０を連珠する糸体３１を係合する接続部２４を設けて形成した。
【００２１】
図３〜図５は、前記述の雌金具１の各部品を組み込んだ状態を示し、殻体１４の体内に挿入部受け孔３ａより挿入部３を配置し、孔１５より、ガイド部４の貫通孔８、８ａを挿入部３と対向する向きになるように配置した後、ガイド部４内に係脱用押ボタン６を配置すると共に係合部材５の係合孔９、９ａと貫通孔８、８ａを対向する向きに配置すると共にコイルスプリング７を配置して孔１５に蓋２を配置することにより係脱用押ボタン６をコイルスプリング７の弾性力の付勢にて殻体１４の切り欠き部１０より突出させて設けて構成したことを示す。
【００２２】
雌金具１と連珠装身具とを連結する場合は、糸体３１の一端を接続孔１１よりガイド部４の貫通孔８、８ａ、係合孔９、９ａ、挿入部３の順に挿通させた後、図６に示す同じ部材である嵌合部材３２に挿入してネジ３３にて固定し、該嵌合部材３２を接続孔１１側に戻すことにより連結状態となる。そして、糸体３１の他端より複数の珠３０を挿通した後、図６に示す方法にて雄金具２０を連結して雌雄一対の金具を有する連珠装身具となる。
【００２３】
図６は、雄金具２０を連珠装身具に連結した状態を示し、珠３０を挿通した糸体３１を嵌合部材３２に挿入してネジ３３にて固定し、該嵌合部材３２を雄金具２０の接続部２４内に配置した後、接続部２４の後部を絞って絞り部３４にて連結した状態を示す。
【００２４】
図７は、図４に示す雌金具１の右側面図の内部に雄金具２０を挿入し係合した場合の状態をＡ−Ａ線断面図で示し、コイルスプリング７を殻体１４内のガイド部４内に配置することにより、コイルスプリング７はガイド部４内にて弾性力付勢方向の最大長さとなった時に係脱用押ボタン６及び係止部材５は上方に押し出され、係止部材５と雄金具２０の係合溝部２３とを係合させた状態を示す。
【００２５】
上記係合を脱する場合は、係脱用押ボタン６を下方に押圧することにより、コイルスプリング７はガイド部４内にて弾性力付勢方向の最小長さとなると共に係止部材５の係合孔９も同時に下がり係止部材５は雄金具２０の係合溝部２３より外れて脱することができる。
【図面の簡単な説明】
【００２６】
【図１】本考案の連珠用連結具の実施例全体を示す概念図である。
【図２】本考案の実施例の連珠用連結具を構成する各部品を示す概念図である。
【図３】図２に示す部品にて構成した雌金具の正面図である。
【図４】図３の右側面図である。
【図５】図３の平面図である。
【図６】雄金具を連珠装身具に連結した状態を示す正面図である。
【図７】図４にて雌金具の内部に雄金具を挿入し係合した場合の状態をＡ−Ａ線断面図で示した。
【符号の説明】
【００２７】
１    雌金具  
２    蓋
３    挿入部
３ａ  挿入部受け孔
４    ガイド部
５    係合部材
６    係脱用押しボタン
７    コイルスプリング
８    貫通孔
９    係合孔
１０    切り欠き部
１１    接続孔
１２    ふち部    
１３    凸部
１４    殻体
１５    孔
２０    雄金具
２１    先細状の頭部
２２    周面
２３    係合溝部
２４    接続部
３０    珠
３１    糸体
３２    嵌合部材
３３    ネジ
３４    絞り部
【図１】
0003110264.tif 000003
【図２】
0003110264.tif 000004
【図３】
0003110264.tif 000005
【図４】
0003110264.tif 000006
【図５】
0003110264.tif 000007
【図６】
0003110264.tif 000008
【図７】
0003110264.tif 000009